(57)【要約】      （修正有）【課題】顔や体の一部が動くキャラクターの付いた手袋において、着用者がその動く様子を楽しめる手袋を提供する。【解決手段】手袋１００は、模様としてキャラクターを付すとともに、当該キャラクターの顔、又は体の一部からなる突出部１を有する。突出部１に内包される被操作用エアーバッグ２と、被操作用エアーバッグ２に連結管３を通してエアーを供給する操作用エアーバッグ４とを備え、被操作用エアーバッグ２は、空気の抜けた二つ折り姿勢と、空気が満たされた起立姿勢との間で姿勢変更するよう構成されている。操作用エアーバッグ４から供給されたエアーにより被操作用エアーバッグ２が、二つ折り姿勢から起立姿勢に姿勢変更することにより突出部１が起立する。操作用エアーバッグ４は、手袋の甲側に内包されていることが好ましい。【選択図】図１
0003228019.tif 000002
【実用新案登録請求の範囲】
【請求項１】
模様としてキャラクターを付すとともに、当該キャラクターの顔、又は体の一部からなる突出部を有する手袋であって、
前記突出部に内包される被操作用エアーバッグと、
前記被操作用エアーバッグに連結管を通してエアーを供給する操作用エアーバッグと
を備え、
前記被操作用エアーバッグは、空気の抜けた二つ折り姿勢と、空気が満たされた起立姿勢との間で姿勢変更するよう構成されており、
前記操作用エアーバッグから供給されたエアーにより前記被操作用エアーバッグが、二つ折り姿勢から起立姿勢に姿勢変更することにより前記突出部が起立することを特徴とする手袋。
【請求項２】
前記操作用エアーバッグが当該手袋の甲側に内包されている請求項１に記載の手袋。
【考案の詳細な説明】
【技術分野】
【０００１】
本考案は、人や動物、その他のキャラクターを模した形態を有し、耳や鼻等の顔や体の一部が動くように構成した着用物に関する。
【背景技術】
【０００２】
一頃、うさぎ等の顔の形をした耳の動く帽子が流行した（例えば、特許文献１参照）。
【０００３】
特許文献１の帽子は、頭に被る部分に設けた動物の耳の内部に、エアーを流入させると膨らんで起立する上部エアーバッグを配し、両側部から垂れ下がるひも状の動物の前足の内部に下部エアーバッグを配して構成され、下部エアーバッグを前足の外側から握ることで上部エアーバッグに空気を送り込んで耳を起立させるよう構成されている。
【先行技術文献】
【特許文献】
【０００４】
【特許文献１】中国実用新案登録公報２０３８８４７８１号
【考案の概要】
【考案が解決しようとする課題】
【０００５】
しかし、特許文献１の帽子は、着用中は耳が動くことを他人に見せて楽しむことができるものの、本人は鏡をのぞかなければ見ることができないという問題がある。
本考案は、上記課題に鑑みてなされたものであり、着用中であっても着用者本人がキャラクターの顔や体の動きを見ることができるような着用物を提供することを目的とする。
【課題を解決するための手段】
【０００６】
上記課題を解決するためになされた考案は  模様としてキャラクターを付すとともに、当該キャラクターの顔、又は体の一部からなる突出部を有する手袋であって、前記突出部に内包される被操作用エアーバッグと、前記被操作用エアーバッグに連結管を通してエアーを供給する操作用エアーバッグとを備え、前記被操作用エアーバッグは、空気の抜けた二つ折り姿勢と、空気が満たされた起立姿勢との間で姿勢変更するよう構成されており、  前記操作用エアーバッグから供給されたエアーにより前記被操作用エアーバッグが、二つ折り姿勢から起立姿勢に姿勢変更することにより前記突出部が起立することを特徴とする手袋。
【０００７】
このように、キャラクターの顔、又は体の一部からなる突出部を手袋に設けたので、着用者自身が、キャラクターの顔や体の動きを見ることができる。
【０００８】
前記操作用エアーバッグは、当該手袋の甲側に内包されていることが好ましい。こうすることで、カバンの把手を握る等の手を握る操作をする際に、操作用エアーバッグが邪魔になることを抑制できる。
【考案の効果】
【０００９】
以上説明したように、本考案の手袋によれば、着用者が着用した状態で、キャラクターの顔や体を動かす操作をし、その動きを自分で見て楽しむことができる。
【図面の簡単な説明】
【００１０】
【図１】本考案の一の実施形態に係る手袋の使用状態を示す斜視図である。
【図２】図１の手袋の正面図である。
【図３】図の手袋の縦断面図である。
【図４】被操作用エアーバッグが二つ折り姿勢の状態の操作部を示す背面図である。
【図５】被操作用エアーバッグが起立姿勢の状態の操作部を示す背面図である。
【考案を実施するための形態】
【００１１】
以下、適宜図面を用いながら本考案の実施形態について詳述する。ただし、本考案は、以下の実施形態に限定されるものではない。
図１は、本考案の一の実施形態に係る手袋１００を示している。手袋１００は、図１に示すように、手袋本体１０と、手袋本体１０に内設される操作部２０（図１、図２には破線にて記載）とを主に備えている。手袋１００は、左右一対の手袋の片側であり、図示の例では右手用の手袋であるが、左手用の手袋でもよいことは言うまでもない。
【００１２】
手袋本体１０は、いわゆるミトン型の手袋であって、親指袋１２と親指以外の４本の指をまとめて入れる４本指袋１１と袖口１３とを備え、全体が表地と裏地から２重に形成されている。４本指袋１１の甲側には、ブタのキャラクターの目と鼻が刺繍され、４本指袋１２の先端には、左右一対の耳（突出部）１，１が突設されている。親指袋１２、及び４本指袋１１は、いわゆるフェイクファーにより形成され、袖口１３は、筒状のリブ編地を２つ折りにした形状を有している。
【００１３】
操作部２０は、可撓性樹脂により形成された、左右一対の被操作用エアーバッグ２，２と、操作用エアーバッグ４と、操作用エアーバッグ４から被操作用エアーバッグ２，２へエアーを供給する連結管３とが嵌合されて形成されている。
【００１４】
被操作用エアーバッグ２は、トラック形をなす袋状に形成され、折り畳んだ際に内側となる面に多数の幅方向の凸条２ａ，２ａが設けられている。被操作用エアーバッグ２は、空気を抜いた状態では、図４に示すような２つ折り姿勢となるように、空気を入れた状態では、図５に示すような起立姿勢となるよう構成されている。
【００１５】
操作用エアーバッグ４は、円盤形の袋状に形成され、連結管３により被操作用エアーバッグ２に連結されている。連結管３は、基端側が操作用エアーバッグ４に連結される主管３１と、主管３１の先端から左右に枝分かれし、主管３１と被操作用エアーバッグ２とを連結する一対の枝管３２，３２とを備えている。詳細には、操作部２０の各部は、連結用の樹脂製継手により連結されている。
【００１６】
操作部２０は、図３に示すように、操作用エアーバッグ４が手袋の甲に位置するように、被操作用エアーバッグ２，２が左右一対の耳１，１に内設されるようにして、４本指袋１１の表地１１ａと裏地１１ｂの間の空間に収容されている。
【００１７】
手袋１００は、ブタの顔が手の甲側となるように着用する。ブタの耳１，１を動かす際には、手の甲にある操作用エアーバッグ４を反対側の手の指で押さえつける。そうすると、操作用エアーバッグ４の内部のエアーが連結管３を介して左右一対の被操作用エアーバッグ２，２へ供給され、被操作用エアーバッグ２，２が膨らんで起立する。これにより垂れ下がっていたブタの耳１，１がピンと起き上がる。
このように、本発明では、手袋１００に耳の動くブタを配したので、着用者は耳が動く様子を見て楽しむことができる。
【００１８】
また、操作用エアーバッグ４は、手袋１００の甲側にあるので、手袋１００を着用した状態でカバンの持ち手を握ったり自転車のハンドルを握ったりするときに邪魔にならない。
【００１９】
本考案の手袋は、上述した実施形態に限られるものではなく、例えば、操作用エアーバッグは、手袋の甲側ではなく手のひら側に設けてもよい。手袋に付すキャラクターはブタに限らず、ウサギやネコ等他の動物でもよいし、雪だるまやサンタクロース等の動物以外のキャラクターであってもよく、動かすことのできる突出部は、耳に限らず、鼻や手足等、体の他の部分であってもよい。手袋は、ミトン型でなく５本指用であってもよく、袖口は無くてもよい。
【符号の説明】
【００２０】
１００  手袋
１  耳（突出部）
２  被操作用エアーバッグ
３  連結管
４  操作用エアーバッグ
５  甲
【図１】
0003228019.tif 000003
【図２】
0003228019.tif 000004
【図３】
0003228019.tif 000005
【図４】
0003228019.tif 000006
【図５】
0003228019.tif 000007